(57)【要約】【課題】車いす生活の身障者や高齢者にとって、専用の面積を必要としない便利な入浴補助具を提供する。【解決手段】平面視ほぼ方形の台２と、台２の第一の端部を支点として台を上下に揺動可能に支持する回転軸３と、回転軸３を壁面８に取り付けるための取り付け部材４と、ゴム又は軟質プラスチックからなり、台２の裏面における第二の端部に当該端辺に沿って取り付けられたゴムシートなどの滑り防止部材５とを備えることを特徴とする。【選択図】図１
2009297134.tif 000002
【特許請求の範囲】
【請求項１】
平面視ほぼ方形の台と、
台の第一の端部を支点として台を上下に揺動可能に支持する回転軸と、
回転軸を壁面に取り付けるための取り付け部材と、
ゴム又は軟質プラスチックからなり、台の裏面における第二の端部に当該端辺に沿って取り付けられた滑り防止部材と
を備えることを特徴とする入浴補助具。
【請求項２】
前記滑り防止部材がシート又は複数の吸盤である請求項１に記載の入浴補助具。
【請求項３】
前記取り付け部材が、床面を基点として前記台の第一の端部を支持する補強材を含む請求項１又は２に記載の入浴補助具。
【請求項４】
洗い場側のエプロン上面に前記台の肉厚と同じ深さを有して台の第二の端部を受け入れる凹部が形成された浴槽と、
洗い場を間にして浴槽と対向する壁面に、前記台の上面がエプロン上面と同じ高さになるように前記取り付け部材を介して取り付けられた請求項１〜３のいずれかに記載の入浴補助具と
を備えることを特徴とする浴室。
【請求項５】
一方の側に凸部、他方の側に凹部が形成された複数の分割脚からなり、一つの分割脚の凸部と他の分割脚の凹部との嵌合により全長を段階的に延ばすことの可能な脚材と、
平面視ほぼ方形で裏面の第一の端部に前記分割脚の凸部を受け入れる凹部が形成された台と、
ゴム又は軟質プラスチックからなり、台の裏面における第二の端部に当該端辺に沿って取り付けられた滑り防止部材と
を備えることを特徴とする入浴補助具。
【請求項６】
前記滑り防止部材がシート又は複数の吸盤である請求項５に記載の入浴補助具。
【請求項７】
前記分割脚の凸部外周面に雄ねじ、凹部内周面に雌ねじが形成され、前記嵌合がねじ嵌合である請求項５又は６に記載の入浴補助具。
【請求項８】
前記台の裏面における前記滑り防止部材よりも少し内側の位置に、前記滑り防止部材よりも下方に突出したストッパーが設けられている請求項５〜７のいずれかに記載の入浴補助具。
【発明の詳細な説明】
【技術分野】
【０００１】
この発明は、身障者や高齢者が浴室内で洗い場から浴槽に移動するのを助ける補助具に関する。
【背景技術】
【０００２】
車いす生活の身障者や高齢者にとって、浴室内の洗い場から浴槽に直接移動することは困難であることから、浴槽のエプロンと同じ高さの台を浴槽に隣接させて用いることが行われている。入浴者は、一旦その台に腰掛け、その状態で脚を浴槽内に入れて足が浴槽の底についたところで腰を浮かして浴槽に浸かるのである。
従来、この種の補助具として、例えば浴室製造時より浴槽の隣に備え付けられた移乗台（特許文献１）、浴室製造後に浴槽の隣に後付けされた移乗台（特許文献２）などが提案されている。
【特許文献１】特開平１０−１２７５１４
【特許文献２】特開２００１−５９３４９
【発明の開示】
【発明が解決しようとする課題】
【０００３】
しかし、従来の移乗台が備え付けられた浴室は、移乗台の分だけ余分に面積を確保しなければならず、不経済である。また、移乗台を後付けする場合も、エプロンの化粧板や芯材を一旦取り外さなければならず、不便である。
それ故、この発明の課題は、専用の面積を必要としない便利な入浴補助具を提供することにある。
【課題を解決するための手段】
【０００４】
その課題を解決する、この発明の一つの入浴補助具は、
平面視ほぼ方形の台と、
台の第一の端部を支点として台を上下に揺動可能に支持する回転軸と、
回転軸を壁面に取り付けるための取り付け部材と、
ゴム又は軟質プラスチックからなり、台の裏面における第二の端部に当該端辺に沿って取り付けられた滑り防止部材と
を備えることを特徴とする。
【０００５】
この入浴補助具は、洗い場を間にして浴槽と対向する壁面に回転軸を取り付けることにより固定される。取り付け部材はアンカーボルトなどの公知の金具を用いて良く、容易に後付けできる。そして、入浴者が洗い場から浴槽に移動する時に台を倒して第二の端部を浴槽のエプロン上面に載せる。入浴者の体重は、壁面とエプロンとでしっかりと支持される。滑り防止部材がエプロン上面に接しているので、台の位置が水平にずれることはなく、エプロンを傷つけることもない。洗い場で体を洗うときや不使用の際には台を上げて立てておけば、邪魔になることはない。また、浴槽に移動するときだけでなく、体を洗う際に台の上に乗ってもよい。
【０００６】
従って、この発明の入浴補助具は、浴室製造時から備え付けられていてもよく、その場合の適切な浴室は、
洗い場側のエプロン上面に前記台の肉厚と同じ深さを有して台の第二の端部を受け入れる凹部が形成された浴槽と、
洗い場を間にして浴槽と対向する壁面に、前記台の上面がエプロン上面と同じ高さになるように前記取り付け部材を介して取り付けられた前記の入浴補助具と
を備えることを特徴とする。
この浴室においては、台を倒したときに台の上面がエプロン上面と同じ高さになるので、ますます台から浴槽に移動しやすくなる。また、台の第二の端部がエプロンの凹部に嵌められるので、滑り防止部材が劣化して機能しなくなっても凹部と台との幅方向の間隙以上に水平方向に台が滑ることがなく、安全である。
【０００７】
前記課題を解決する、この発明のもう一つの入浴補助具は、
一方の側に凸部、他方の側に凹部が形成された複数の分割脚からなり、一つの分割脚の凸部と他の分割脚の凹部との嵌合により全長を段階的に延ばすことの可能な脚材と、
平面視ほぼ方形で裏面の第一の端部に前記分割脚の凸部を受け入れる凹部が形成された台と、
ゴム又は軟質プラスチックからなり、台の裏面における第二の端部に当該端辺に沿って取り付けられた滑り防止部材と
を備えることを特徴とする。
【０００８】
この入浴補助具によれば、入浴者の体重は脚材とエプロンとで支持される。従って、第一の入浴補助具と異なり、壁面に固定されることを必要とせず、不使用時は浴室外に出しておくことができる。そして、脚材の長さは分割脚の個数によって調整されるから、種々の浴室に適用可能である。
この入浴補助具においては分割脚の凸部外周面に雄ねじ、凹部内周面に雌ねじが形成され、前記嵌合がねじ嵌合であると好ましい。ねじ嵌合の程度により全長の微調整も可能となるからである。また、台の裏面における第二の端部より少し内側に、滑り防止部材よりも下方に突出したストッパーが設けられていると好ましい。滑り防止部材とエプロン上面との摩擦力に勝る水平方向の力が台に加わって入浴補助具が浴槽に向かって滑っても、ストッパーがエプロンに当たってそこで移動が止められ、安全だからである。
【発明の効果】
【０００９】
以上のように、この発明の第一の入浴補助具は、不使用時に台を立てておくことができるし、第二の入浴補助具は、不使用時に浴室外に出しておくことができるので、いずれにしても専用の面積を要しない。従って、狭い浴室でも使用者に経済的に大きな負担をかけることなく使用可能である。
【発明を実施するための最良の形態】
【００１０】
−実施形態１−
この発明の第一の実施形態に係る入浴補助具を図面とともに説明する。図１は実施形態の入浴補助具を浴室に取り付けた状態を示す平面図、図２は同じく正面図、図３は入浴補助具単独を浴槽から眺めた図である。
入浴補助具１は、平面視ほぼ方形の台２と、台２の第一の端部を支点として台２を上下に揺動可能に支持する回転軸３と、回転軸３を壁面に取り付けるための取り付け部材４と、台の裏面における第二の端部に当該端辺に沿って貼り付けられたゴムシート５とを備える。尚、図１及び図２では台２は倒されており、図２の想像線及び図３では立てられている。
【００１１】
入浴補助具１は、洗い場６を間にして浴槽７と対向する壁面８に取り付け部材４にて固定されている。台２は、繊維強化プラスチックからなり、壁面８から洗い場６を跨いでエプロン７ａに達する程度の長さと、エプロン７ａの長さの半分以下の幅を有し、裏面における自由端（第二の端部）の中央に半円形の薄肉部２ａが形成されている。また、厚み方向に貫通した多数の水切り孔２ｂ、２ｂ・・・が縦横に配列して形成されている。回転軸３は、ステンレス製であり、台２における固定端（第一の端部）付近を幅方向に貫通している。
【００１２】
取り付け部材４は、回転軸３の両端を支持する軸受け４ａと、床面を基点として台２の固定端を支持する補強材４ｂからなり、軸受け４ａは図略のアンカーボルトなどにて壁面８に固定されている。補強材４ｂは壁面８に多数のねじ４ｃ、４ｃ・・・で固定されている。台２の上方の壁面８には、留め具９が取り付けられており、台２の起立時に留め具９を回転させて薄肉部２ａに係らせることにより、台２が自重で倒れるのを防止している。
【００１３】
この浴室で身障者や高齢者が入浴する場合は、洗い場から浴槽に移動する時に台２を倒して自由端をエプロン７ａの上面に載せる。台２は安定し、入浴者はその上に安心して乗ることができる。その状態で浴槽への移動前又は後に体を洗っても良い。入浴者の体重は、台２の固定端側においては軸受け３ａ及び補強材４ｂを介してそれぞれ壁面８及び床面にて、自由端側ではエプロン７ａにてしっかりと支持される。ゴムシート５がエプロン７ａ上面に接しているので、台２の位置が水平にずれることはなく、エプロン７ａを傷つけることもない。洗い場で体を洗うときや不使用の際には台２を上げて立てておけば、邪魔になることはない。
【００１４】
−実施形態２−
この発明の第二の実施形態に係る入浴補助具を図面とともに説明する。図４は実施形態の入浴補助具単独を浴槽から眺めた図である。
この実施形態では実施形態１におけるゴムシート５に代えて多数の吸盤１５、１５・・・が台２の裏面における自由端付近に取り付けられている。また、軸受け４ａ及び補強材４ｂに代えて軸受け部１４ａと補強部１４ｂとが一体化された取り付け部材１４によって台２の固定端が支持されている。その他は実施形態１と同一であってよい。
【００１５】
−実施形態３−
この発明の第三の実施形態に係る入浴補助具付き浴室を図面とともに説明する。図５は実施形態の浴室を示す平面図、図６は同じく正面図である。
この浴室は、製造当初より入浴補助具２１が据え付けられているものである。入浴補助具２１は、実施形態１におけると同様に、台２２、回転軸２３、取り付け部材２４、及びゴムシート２５を備える。以下、実施形態１との主な相違点のみ詳述する。
【００１６】
この実施形態では、浴槽２７の洗い場側のエプロン２７ａ上面に台２２の肉厚と同じ深さを有して台２２の自由端を受け入れる凹部２７ｂが形成されている。このため、台２２を倒した状態ではエプロン２７ａ上面に台２２の上面とが同じ高さになる。また、壁面８に肉厚の補強材２４ｂが埋め込まれており、これに軸受け部２４ａが固定されている。台２２を倒したときに台２２の上面がエプロン２７ａ上面と同じ高さになるので、ますます台２２から浴槽に移動しやすくなる。また、台２２の自由端が凹部２７ｂに嵌められているので、ゴムシート２５が劣化して機能しなくなっても凹部２７ｂと台２２との幅方向の間隙以上に水平方向に台２２が滑ることがなく、安全である。
【００１７】
−実施形態４−
この発明の第四の実施形態に係る入浴補助具を図面とともに説明する。図７は実施形態の入浴補助具を浴室に取り付けた状態を示す正面図、図８は入浴補助具（脚材を除く）単独を示す底面図である。
入浴補助具３１は、台３２の他に脚材３３を備える。以上の実施形態と異なり、取り付け部材及び回転軸は無い。脚材３３は、一方の側に凸部、他方の側に凹部が形成された複数の分割脚３４、３４・・・からなる。そして、凸部外周面に雄ねじ、凹部内周面に雌ねじが形成され、一つの分割脚３４の凸部と他の分割脚３４の凹部とのねじ嵌合により、脚材３３の全長を段階的に延ばすことができる。尚、一番下に位置する分割脚３４の凹部には径方向に張り出したフランジ３６が固定され、その裏面にゴムシート（図示省略）が貼り付けられている。
【００１８】
台３２は、壁面からエプロン７ａまでを跨ぐ程度の長さと、エプロン７ａの半分以下の幅を有する平面視ほぼ方形で、裏面の第一の端部両側に分割脚３４の凸部を受け入れる凹部３２ａ、３２ａが形成されている。また、多数の水切り孔３２ｂ、３２ｂ・・・も形成されている。そして、裏面における第二の端部に当該端辺に沿ってゴムシート３５が貼り付けられている。台３２の裏面におけるゴムシート３５より少し内側の位置に、ゴムシート３５よりも下方に突出したストッパー３２ｃが設けられている。
【００１９】
この入浴補助具３１を使用するときは、脚材３３の長さがエプロン７ａの高さと同程度になるように必要個数の分割脚３４を連結する。そして、台３２の凹部３２ａ、３２ａに先頭の分割脚３４をねじ嵌合し、各分割脚３４のねじ嵌合の程度により台３２の上面が水平になるように調整する。この入浴補助具３１によれば、入浴者の体重は脚材３３とエプロン７ａとで支持される。従って、入浴補助具３１は、壁面に固定されることを必要とせず、不使用時は浴室外に出しておくことができる。脚材の長さは分割脚の個数及びねじ嵌合の程度によって調整されるから、種々の浴室に適用可能である。また、ゴムシート３５とエプロン７ａ上面との摩擦力に勝る水平方向の力が台３２に加わって入浴補助具３１が浴槽７に向かって滑っても、ストッパー３２ｃがエプロン７ａに当たってそこで移動が止められるので、安全である。
【図面の簡単な説明】
【００２０】
【図１】実施形態１の入浴補助具を浴室に取り付けた状態を示す平面図である。
【図２】同じく正面図である。
【図３】実施形態１の入浴補助具を浴槽から眺めた図である。
【図４】実施形態２の入浴補助具を浴槽から眺めた図である。
【図５】実施形態３の浴室を示す平面図である。
【図６】同じく正面図である。
【図７】実施形態４の入浴補助具を浴室に取り付けた状態を示す正面図である。
【図８】実施形態４の入浴補助具を示す底面図である。
【符号の説明】
【００２１】
１、２１、３１  入浴補助具
２、２２、３２  台
３  回転軸
４、１４  取り付け部材
５、３５  ゴムシート
１５  吸盤
７  浴槽
【図１】
2009297134.tif 000003
【図２】
2009297134.tif 000004
【図３】
2009297134.tif 000005
【図４】
2009297134.tif 000006
【図５】
2009297134.tif 000007
【図６】
2009297134.tif 000008
【図７】
2009297134.tif 000009
【図８】
2009297134.tif 000010